(57)【要約】  【課題】コンタクトピンの位置出し精度を向上させ、かつ、ロック機構における動作の信頼性を向上させる。  【解決手段】相手方コネクタと接続されるロック機構付のプラグ部を有するハウジング２と、プラグ部内のコンタクトピン６に芯線をはんだ接続したケーブルとを備え、かつハウジング２の周囲をシールドケース９で被覆し、このシールドケース９で覆ったハウジング２の外側に把持部４を樹脂材モールドにより形成してなるプラグコネクタ１において、ハウジング２に、ケーブルの芯線が接続されたハウジング２のはんだ固定部２Ａを囲暁してなる樹脂製カバー３を配設し、この樹脂製カバー３を介してハウジング２の外側に把持部４を設けた。【選択図】図３
2008010378.tif 000002
【特許請求の範囲】
【請求項１】
相手方コネクタと接続されるロック機構付のプラグ部を有するハウジングと、前記プラグ部内のコンタクトピンに芯線をはんだ接続したケーブルとを備え、かつ前記ハウジングの周囲をシールドケースで被覆し、このシールドケースで被覆されたハウジングの外側に把持部を樹脂モールドにより形成してなるプラグコネクタにおいて、
前記ハウジングに、前記ケーブルの芯線が接続された前記ハウジングのはんだ固定部を囲暁して樹脂製カバーを配設し、該樹脂製カバーを介して前記ハウジングの外側に前記把持部を設けたことを特徴とするプラグコネクタ。
【請求項２】
上記カバーが、互いに嵌合可能な第１ケースと第２ケースとでなる２分割構成であることを特徴とする請求項１記載のプラグコネクタ。
【請求項３】
上記カバーの外面に、外側に向かって突出された位置ずれ防止突起を設けたことを特徴とする請求項１または２記載のプラグコネクタ。
【発明の詳細な説明】
【技術分野】
【０００１】
本発明は、プラグコネクタに関するものであり、特に、携帯電話、ＰＤＡ(携帯情報端末)、ゲーム機、デジタルカメラ等の、携帯型電子機器に使用されるプラグコネクタに関するものである。
【背景技術】
【０００２】
近年、携帯電話、ＰＤＡ(携帯情報端末)、ゲーム機器、デジタルカメラ等の携帯型電子機器の市場が急速に広がっている。
【０００３】
それらの携帯型電子機器を使用して、データ通信を行う場合や充電を行う際には、一般的に、プラグコネクタ付のケーブルが利用されている（例えば、特許文献１、特許文献２参照）。
【０００４】
これらのプラグコネクタは、相手方コネクタと電気的に接続されるプラグ部を有するハウジングと、プラグ部内のコンタクトピンに芯線をはんだ接続したケーブルとを備え、これら接続部分の外側を樹脂モールドされる把持部で覆い、コンタクトピンとケーブルの芯線とのはんだ固定部に、ねじれ等が生じないように保護している。
【０００５】
一般に、このような従来におけるプラグコネクタでは、把持部の樹脂モールドを行う前に、コンタクトピンと芯線とのはんだ固定部の周囲に、中押し成形と呼ばれる樹脂モールドを行い、はんだ固定部を一度樹脂材で固定し、その後、把持部を成形する方法がとられている。
【特許文献１】特開２００５−８５４６９号公報（図１０）。
【特許文献２】特開２００１−１８５２８２号公報。
【発明の開示】
【発明が解決しようとする課題】
【０００６】
しかしながら、特許文献１，特許文献２記載のプラグコネクタのように、把持部の樹脂モールド成形を行う前に、コンタクトピンとケーブルの芯線とのはんだ固定部の周囲に、中押し成形と呼ばれる樹脂モールドを行っている構造では、はんだ固定部が、中押し成形時の成形圧力で移動、すなわち変形し、コンタクトピンの接点部に位置のバラツキが発生したり、はんだ固定部におけるショートが発生し易いという問題があった。
【０００７】
また、例えば特許文献２に示されるように、相手方コネクタと接続されるロック機構をプラグ部に設けたロック機構付のコネクタにおいては、中押し成形時に、ロック機構を構成しているラッチ内部が、モールド成形時に漏れた樹脂材で固められ、ロック機構の所望する動作に影響を与えるような不都合も発生し易いという問題があった。
【０００８】
そこで、コンタクトピンの位置出し精度を向上させ、かつ、ロック機構における動作の信頼性を向上させるために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、相手方コネクタと接続されるロック機構付のプラグ部を有するハウジングと、前記プラグ部内のコンタクトピンに芯線をはんだ接続したケーブルとを備え、かつ前記ハウジングの周囲をシールドケースで被覆し、このシールドケースで被覆されたハウジングの外側に把持
部を樹脂モールドにより形成してなるプラグコネクタにおいて、前記ハウジングに、前記ケーブルの芯線が接続された前記ハウジングのはんだ固定部を囲暁して樹脂製カバーを配設し、該樹脂製カバーを介して前記ハウジングの外側に前記把持部を設けたプラグコネクタを提供する。
【００１０】
この構成によれば、ケーブルの芯線が接続されたはんだ固定部を樹脂製カバーで囲暁し、その後、ハウジングの外側に把持部を樹脂モールドにより成形するので、従来構造で用いていた中押し成形加工を省略することができる。
【００１１】
請求項２記載の発明は、請求項１において、上記カバーが、互いに嵌合可能な第１ケースと第２ケースとでなる２分割構成であるプラグコネクタを提供する。
【００１２】
この構成によれば、ハウジングを挟んで、互いに相対向する方向から第１ケースと第２ケースとを互いに嵌合させると、ハウジングのはんだ固定部を囲暁してカバーを配設することができる。
【００１３】
請求項３記載の発明は、請求項１または２において、上記カバーの外面に、外側に向かって突出された位置ずれ防止突起を設けたプラグコネクタを提供する。
【００１４】
この構成によれば、把持部を樹脂モールドするとき、カバーの位置ずれ防止突起が樹脂モールド内に入り込み、この位置ずれ防止突起と樹脂材との絡みにより、把持部とカバーとが互いにずれないようにして安定的に嵌合される。
【発明の効果】
【００１５】
請求項１記載の発明は、従来構造で用いていた中押し成形をなくすことができるので、中押し成形で問題となっていたコンタクトピンの接点部における位置のバラツキの発生や、はんだ固定部におけるショートの発生を抑えることができ、信頼性の向上が図れる。また、中押し成形で問題となっていたラッチ内部が樹脂材で固められるというようなこともなくなるので、ロック機構におけるラッチの所望動作が常に得られ、製品の信頼性が向上する。
【００１６】
請求項２記載の発明は、ハウジングに対するカバーの配設を容易に行うことができるので、請求項１の発明の効果に加えて、作業性の向上が図れる。
【００１７】
請求項３記載の発明は、把持部を樹脂モールドするとき、把持部とカバーとが互いに位置ずれしない状態で、把持部を成形することができるので、請求項１または２記載の発明の効果に加えて製品の品質性能を一層向上させることができる。
【発明を実施するための最良の形態】
【００１８】
コンタクトピンの位置出し精度を向上させ、かつ、ロック機構における動作の信頼性を向上させるという目的を達成するために、相手方コネクタと接続されるロック機構付のプラグ部を有するハウジングと、前記プラグ部内のコンタクトピンに芯線をはんだ接続したケーブルとを備え、かつ前記ハウジングの周囲をシールドケースで被覆し、このシールドケースで被覆されたハウジングの外側に把持部を樹脂モールドにより形成してなるプラグコネクタにおいて、前記ハウジングに、前記ケーブルの芯線が接続された前記ハウジングのはんだ固定部を囲暁して樹脂製カバーを配設し、該樹脂製カバーを介して前記ハウジングの外側に前記把持部を設けたことにより実現した。
【実施例】
【００１９】
以下、本発明のプラグコネクタについて、好適な実施例をあげて説明する。
【００２０】
図１は本発明の一実施の形態として示すプラグコネクタをケーブルと接続した状態で示す斜視図、図２は同上プラグコネクタの上面図、図３は図２のＡ−Ａ線断面矢視図である。
【００２１】
図１乃至図３において、プラグコネクタ１は、ハウジング２とカバー３と把持部４等により構成されている。
【００２２】
ハウジング２は、合成樹脂製の一体成型品で、一端側には、相手方コネクタ（図示せず）と電気的に接続される複数のコンタクトピン６，６…をインサートすることにより設けられているプラグ部５を有する。一方、ハウジングの他端側には、プラグ部５内から導出されているコンタクトピン６，６…に芯線をはんだ固定することによりケーブル８が取り付けられている。また、ハウジング２の一端側には、相手方コネクタに差し込まれたプラグ部５を、相手方コネクタに対して解除可能にロックするラッチ機構の一部を構成する左右１対のラッチ爪７，７が設けられている。なお、ハウジング２の外周には、図３および図４，図５に示すように、ラッチ爪７，７を露呈して、シールドケース９で被覆されている。シールドケース９の上面９ａには、図４に示すように、二条の隆起部１０，１０  が巾方向へ突設されている。
【００２３】
カバー３は、ハウジング２を挟んで異なる方向、すなわち図２および図４では上下方向からそれぞれ取り付けられる合成樹脂製の第１ケースに相当するアッパーケース３Ａと第２ケースに相当する合成樹脂製のロアケース３Ｂの２つのケースに分割されている。アッパーケース３Ａの左右側面には、係止爪１１，１１が前後方向に所定間隔を有して設けられている。一方、ロアケース３Ｂの左右側面には、前記係止爪１１，１１に対応して係止孔１２，１２が設けられている。
【００２４】
前記、アッパーケース３Ａとロアケース３Ｂを上下より突き合わせてハウジング２を外装するのであるが、該ハウジング２にはコンタクトピン６，６…とケーブル芯線とのハンダ固定部を有する。そして、図３および図４中で、シールドケース９で覆われたハウジング２の本体部分２Ａ（以下、この本体部分２Ａを「はんだ固定部２Ａ」という）が示されている。また、前記アッパーケース３Ａとロアケース３Ｂを互いに突き合わせて嵌合させるとき、アッパーケース３Ａ側の係止爪１１，１１…が、ロアケース３Ｂ側の係止孔１２，１２…に各々嵌合され、アッパーケース３Ａとロアケース３Ｂとが互いに強固に嵌合して固定できるように形成されている。また、前記アッパーケース３Ａとロアケース３Ｂとが組み合わされて嵌合する際には、前記シールドケース９上面に突設されている隆起部１０，１０が該アッパーケース３Ａの内側面に圧接して、該アッパーケース３Ａとシールドケース８との間に生じるガタをなくすることができるように構成されている。
【００２５】
把持部４は、カバー３の外側面に設けられるものであって、合成樹脂にて一体成形されている。
【００２６】
次に、このように構成されたプラグコネクタの製造手順の一例を説明する。まず、ハウジング２、シールドケース９およびケーブル８を組み付けた図４に示す組み付け体を用意する。次いで、このハウジング２の外側にカバー３を、図５に示すように、プラグ部５の先端部とラッチ爪７を露呈させ、かつはんだ固定部２Ａを含むその他の部分を囲暁した状態にして装着する。続いて、図５に示す組み付け体を樹脂成形型内にセットし、合成樹脂材により把持部４を所定の形状に成形すると、図１に示すように、プラグ部５の先端部とラッチ爪７を露呈させ、かつ、ハウジング２の外側を把持部４で覆ったプラグコネクタ１が完成する。
【００２７】
したがって、本実施の形態におけるプラグコネクタ１は、ケーブル８の芯線が接続されたはんだ固定部２Ａを囲暁するようにしてカバー３を設けることにより、従来構造で用いていた中押し成形をなくすことができるので、中押し成形で問題となっていたコンタクトピンの接点部における位置のバラツキの発生や、はんだ固定部におけるショートの発生を抑えることができる。これにより、製品の信頼性を向上させることができる。また、中押し成形時にラッチ内部が樹脂材で固められるというようなこともなくなるので、ロック機構におけるラッチの所望動作が常に得られる。
【００２８】
なお、カバー３におけるアッパーケース３Ａの上部外面に、例えば図６に示すように、外側へ向かって突出している位置ずれ防止突起１３を設けておくと、把持部４を樹脂成形するとき、この位置ずれ防止突起１３が把持部４内に入り込み、この位置ずれ防止突起１３と樹脂材との絡みにより、把持部４とカバー３とが互いにずれないように位置決めできるので、把持部４とカバー３との間の位置ずれを防ぐことができる。図６において、図１乃至図５と同じ符号を付してものは、図１乃至図５と同じ部材である。
【００２９】
また、本発明は、これ以外にも、本発明の精神を逸脱しない限り種々の改変を為すことができ、そして、本発明が該改変されたものに及ぶことは当然である。
【図面の簡単な説明】
【００３０】
【図１】本発明の一実施の形態として示すプラグコネクタをケーブルと接続した状態で示す斜視図。
【図２】同上プラグコネクタの上面図。
【図３】図２のＡ−Ａ線断面矢視図。
【図４】同上一実施の形態におけるハウジング、シールドケースおよびケーブルを組み付けた組み付け体を示す斜視図。
【図５】図４に示す組み付け体にカバーを組み付けた組み付け体を示す斜視図。
【図６】同上実施の形態で使用可能なカバーの一変形例を、図４に示す組み付け体に組み付けた状態で示す斜視図。
【符号の説明】
【００３１】
１      プラグコネクタ
２      ハウジング
２Ａ    本体部分（はんだ固定部）
３      カバー
３Ａ    アッパーケース（第１ケース）
３Ｂ    ロアケース（第２ケース）
４      把持部
５      プラグ部
６      コンタクトピン
７      ラッチ爪
８      ケーブル
９      シールドケース
９ａ    上面
１０    隆起部
１１    係止爪
１２    係止孔
１３    位置ずれ防止突起
【図１】
2008010378.tif 000003
【図２】
2008010378.tif 000004
【図３】
2008010378.tif 000005
【図４】
2008010378.tif 000006
【図５】
2008010378.tif 000007
【図６】
2008010378.tif 000008